(57)【要約】【課題】人のいる位置に効率よく高湿空気を搬送し、且つ小型で安全性の高い、使い勝手のよい流体搬送装置を提供する。【解決手段】スチームを放出するノズル１３の周囲を覆う管状の構造体であって、ファン１５が発生させた風を外部へ放出するスチームダクト１８と、スチームダクト１８とは別個に設けられ、ファン１５が発生させた風を搬送して外部へ放出する送風ダクト１６と、スチームダクト１８から外部に風を放出するスチームダクト吹出口１９と、吹出口１９の上方に配置され、送風ダクト１６から外部に風を放出する吹出口１７と、を備え、ノズル１３及びスチームダクト１８は、放出されたスチームがファン１５により発生した風に混合されて吹出口１９から放出されるように構成され、送風ダクト１６は、吹出口１７から放出された風が吹出口１９から放出されたスチームに上方から混合されるように構成される。【選択図】図２
2015081710.tif 000002
【特許請求の範囲】
【請求項１】
流体から蒸気を生成する蒸気生成部と、
前記蒸気生成部により生成された蒸気から、液化した蒸気であるスチームを生成して放出するスチーム放出部と、
風を発生させる送風部と、
前記スチーム放出部の周囲を覆う筒状の構造体であって、前記送風部が発生させた風を外部へ放出する経路の一部を構成するスチームダクトと、
前記スチームダクトとは別個に設けられ、前記送風部が発生させた風を搬送して外部へ放出する経路の一部を構成する送風ダクトと、
前記スチームダクトから外部に風を放出する第１吹出口と、
前記第１吹出口の上方に配置され、前記送風ダクトから外部に風を放出する第２吹出口と、を備え、
前記スチーム放出部及び前記スチームダクトは、放出されたスチームが前記送風部により発生した風に混合されて前記第１吹出口から放出されるように構成され、
前記送風ダクトは、前記第２吹出口から放出された風が前記第１吹出口から放出されたスチームに上方から混合されるように構成されて成る流体搬送装置。
【請求項２】
前記スチーム放出部は、前記蒸気生成部により生成された蒸気に絞りを加えてスチームを生成し、生成されたスチームを前記第１吹出口に向かって放出するように構成されて成る請求項１に記載の流体搬送装置。
【請求項３】
前記スチームダクトは、前記第１吹出口から放出されるスチームの吹出角度が水平になるように構成されて成る請求項１又は２に記載の流体搬送装置。
【請求項４】
前記送風ダクトは、前記第２吹出口から放出される風の吹出角度が水平よりも下方になるように構成されて成る請求項１から３の何れか１項に記載の流体搬送装置。
【請求項５】
前記第２吹出口から放出される風の吹出角度を上下方向に調整する送風方向調整手段を備える請求項１から４の何れか１項に記載の流体搬送装置。
【請求項６】
前記送風方向調整手段は、前記第２吹出口の上部から風の吹出方向に突出した板状のガイド部として構成され、前記第２吹出口の方向に向かって回動することにより風の進行方向を変更可能に構成されて成る請求項５に記載の流体搬送装置。
【請求項７】
前記送風方向調整手段は、前記送風ダクトの前記第２吹出口に対する角度を調整して前記第２吹出口から放出される風の吹出角度を変更可能に構成されて成る請求項５に記載の流体搬送装置。
【請求項８】
前記スチームダクトは、前記スチーム放出部が設けられた位置から前記第１吹出口までの長さを８０〜１２０ｍｍの範囲とし、筒径を５０〜１５０ｍｍの範囲として構成される請求項１から７の何れか１項に記載の流体搬送装置。
【請求項９】
前記スチームダクトは、少なくともその壁面の一部に断熱材を用いて構成される請求項１から８の何れか１項に記載の流体搬送装置。
【請求項１０】
前記第１吹出口を覆うメッシュカバーを更に備える請求項１から９の何れか１項に記載の流体搬送装置。
【請求項１１】
前記メッシュカバーは、その開口幅を５〜１２ｍｍの範囲として構成される請求項１０に記載の流体搬送装置。
【請求項１２】
前記メッシュカバーは、少なくともその一部に断熱材を用いて構成される請求項１０又は１１に記載の流体搬送装置。
【請求項１３】
前記メッシュカバーは、風上側の面の開口縁にＲ形状が設けられて成る請求項１０から１２の何れか１項に記載の流体搬送装置。
【請求項１４】
前記第２吹出口は、前記第１吹出口の上方及び側方を囲むように構成されて成る請求項１から１３の何れか１項に記載の流体搬送装置。
【請求項１５】
前記第１吹出口の近傍への使用者の接触を検知する近接センサと、
前記近接センサにより接触を検出した場合に前記蒸気生成部による蒸気の生成を停止させる制御手段と、
を更に備える請求項１から１４の何れか１項に記載の流体搬送装置。
【請求項１６】
前記近接センサは、前記第１吹出口より吹出方向に突出した部位に設けられた赤外線センサにより構成されて成る請求項１５に記載の流体搬送装置。
【請求項１７】
前記第１吹出口を覆うメッシュカバーを更に備え、
前記近接センサは、前記メッシュカバーに設置された感圧センサにより構成されて成る請求項１５に記載の流体搬送装置。
【請求項１８】
前記第１吹出口に配置された温度検知手段と、
前記温度検知手段により検知された値が予め定められた上限値を超えた場合に、前記蒸気生成部による蒸気の生成を停止させる第２制御手段と、
を更に備える請求項１から１７の何れか１項に記載の流体搬送装置。
【請求項１９】
前記送風部は、
前記スチームダクトに送風する第１のファンと、
前記送風ダクトに送風する第２のファンと、を含み、
前記第１のファンと前記第２のファンとは、それぞれ独立して制御可能に構成されて成る請求項１から１８の何れか１項に記載の流体搬送装置。
【請求項２０】
前記スチームダクトは、前記送風部より搬送される風を均一に流通させるように構成されて成る請求項１から１９の何れか１項に記載の流体搬送装置。
【発明の詳細な説明】
【技術分野】
【０００１】
本発明は、流体搬送装置に関するものである。
【背景技術】
【０００２】
蒸気を含む高湿空気を連続的に室内に放出して部屋を加湿する一般的な加湿器では、家具又は窓等での結露が起こりやすいことが課題である。これに対し、例えば特許文献１には、高湿空気を風向制御可能な送風手段で搬送することにより、家具又は窓に高湿空気があたるのを防ぎ、結露を抑制する加湿器が提案されている。
【先行技術文献】
【特許文献】
【０００３】
【特許文献１】特開２０１２―１６３２９４号公報
【発明の概要】
【発明が解決しようとする課題】
【０００４】
しかしながら、特許文献１に記載された従来の加湿器においては、突出口内側に設置したフラップと送風ファンによって風向を制御しているため、突出後の高湿空気の指向性が弱いといった課題がある。また、この従来の加湿器では、高湿空気の吐出口および送風方向が上方を向いているため、室内に放出された高湿空気は送風方向に関係なく上昇し、天井又は壁に沿いながら徐々に部屋全体を加湿する。このため、この従来の加湿器では、窓での結露が発生し易く、また人のいる部屋中央付近が加湿され難いために、人の周辺の加湿不足又は水が大量に必要となりタンクが大型化するといった課題がある。
【０００５】
この発明は、上述の課題を解決するためになされたもので、人のいる位置に効率よく高湿空気を搬送し、且つ小型で安全性の高い、使い勝手のよい流体搬送装置を提供することを目的とする。
【課題を解決するための手段】
【０００６】
上記の目的を達成するため、本発明の流体搬送装置は、流体から蒸気を生成する蒸気生成部と、蒸気生成部により生成された蒸気から、液化した蒸気であるスチームを生成して放出するスチーム放出部と、風を発生させる送風部と、スチーム放出部の周囲を覆う筒状の構造体であって、送風部が発生させた風を外部へ放出する経路の一部を構成するスチームダクトと、スチームダクトとは別個に設けられ、送風部が発生させた風を搬送して外部へ放出する経路の一部を構成する送風ダクトと、スチームダクトから外部に風を放出する第１吹出口と、第１吹出口の上方に配置され、送風ダクトから外部に風を放出する第２吹出口と、を備え、スチーム放出部及びスチームダクトは、放出されたスチームが送風部により発生した風に混合されて第１吹出口から放出されるように構成され、送風ダクトは、第２吹出口から放出された風が第１吹出口から放出されたスチームに上方から混合されるように構成されて成るものである。
【発明の効果】
【０００７】
この発明によれば、人のいる位置に効率よく高湿空気を搬送し、且つ小型で安全性の高い、使い勝手のよい流体搬送装置を提供することができる。
【図面の簡単な説明】
【０００８】
【図１】本発明の実施の形態１における流体搬送装置の正面図である。
【図２】本発明の実施の形態１における流体搬送装置を、図１に示すＡ−Ａ断面で切断した断面図である。
【図３】本発明の実施の形態１における流体搬送装置の動作を示すフローチャートである。
【図４】本発明の実施の形態２における流体搬送装置を図１に示すＡ−Ａ断面で切断した断面図である。
【図５】本発明の実施の形態３における流体搬送装置の正面図である。
【図６】吹出口の他の形状を示す図である。
【発明を実施するための形態】
【０００９】
以下、図面を参照して本発明の実施の形態を詳細に説明する。なお、各図では、同一又は相当する部分に同一の符号を付している。また、重複する説明は、適宜簡略化あるいは省略する。
【００１０】
実施の形態１．
図１は、本発明の実施の形態１における流体搬送装置の正面図である。また、図２は、本発明の実施の形態１における流体搬送装置を、図１に示すＡ−Ａ断面で切断した断面図である。以下、図１及び図２を参照して、本発明の実施の形態１における流体搬送装置の構成を説明する。なお、本明細書では、特に断りがない限り、図２における右側を前方、左側を後方、上側を上方、そして下側を下方として方向を指定する。
【００１１】
図１に示すように、流体搬送装置は、本体の外郭をなす本体ケース１を備えている。図２に示すように、本体ケース１の上面の後部には、ふた２が着脱自在に取り付けられている。また、本体ケース１の後面には、本体ケース１の外部から内部に空気を取り込むための開口部が形成されている。
【００１２】
また、本体ケース１の前面の下部には、操作部３が設けられている。操作部３は、流体搬送装置の電源ＳＷ（図示せず）を備えている。また、操作部３は、流体搬送装置本体（以下、「本体」という）の位置の湿度を検出する湿度検出部４を備えている。さらに、操作部３は、本体位置から周囲にいる人の位置までの距離を検出する人体検出部５を備えている。
【００１３】
図２に示すように、本体ケース１の内部の後側には、給水部６が設けられている。給水部６は、その上部が下向きに凹んだように形成されている。また、給水部６には、水位検知部（図示せず）が設けられている。水位検知部は、後述する給水タンク７内の水位を検知する。
【００１４】
また、本体ケース１の内部の後側には、給水部６の上方に、給水タンク７が着脱自在に取り付けられている。給水タンク７の下部には、給水弁７ａが設けられている。給水弁７ａは、給水タンク７が本体ケース１に取り付けられる際に、給水部６の上部の凹みに嵌るように形成されている。
【００１５】
また、本体ケース１の内部の下側には、流体貯蔵部として、貯水部８が設けられている。さらに、本体ケース１の内部には、給水部６と貯水部８とを繋ぐ給水路９が設けられている。給水路９の一端は、給水部６の底面に接続されている。給水路９の他端は、貯水部８の底面に接続されている。このため、給水タンク７は、給水弁７ａ、給水部６及び給水路９を介して貯水部８と通じている。
【００１６】
貯水部８の外周面の下部には、ヒータ１０が取り付けられている。ヒータ１０は、貯水部８内の水を加熱して蒸気を生成する。つまり、貯水部８とヒータ１０とにより蒸気生成部を構成する。また、貯水部８の外周面の下部には、温度検出部として、サーミスタ１１が取り付けられている。
【００１７】
貯水部８の上方には、貯水部８から通じる蒸気ダクト１２が設けられている。蒸気ダクト１２は、貯水部８の上面から上方へ延び、後述するスチームダクト１８の内部において前方へ屈曲するように形成されている。蒸気ダクト１２の上端には、蒸気に絞りを加えて圧縮放出するためのノズル１３が設けられている。ノズル１３へ導入された蒸気は、放出される過程においてその一部が液化して微細な液胞となる。以下の説明では、この液化した蒸気を「スチーム」と称することとする。なお、スチームは蒸気に比して指向性を持たせ易い。このため、本実施の形態の流体搬送装置におけるノズル１３は、蒸気ダクト１２内の蒸気をスチーム化して指向性を持たせて外部に放出するスチーム放出部として機能する。
【００１８】
また、本体ケース１の内部の下側且つ貯水部８の後方となる位置には、送風部としての吹出用送風ファン１５が設けられている。吹出用送風ファン１５は、駆動することで後方から空気を吸い込み、上方に向かって空気を吹き出す。
【００１９】
吹出用送風ファン１５の上方には、吹出用送風ファン１５から吹き出された空気が流入する接続ダクト２１と、接続ダクト２１を介して吹出用送風ファン１５と連通する送風ダクト１６およびスチームダクト１８がそれぞれ設けられている。
【００２０】
スチームダクト１８は、ノズル１３の外周を覆う筒状の構造体であって、軸方向が略水平となり且つその先端側が前方を向くように、すなわちその先端側がノズル１３からのスチーム放出方向と略同一方向を向くように配置されている。スチームダクト１８の先端には、外部と通じるスチームダクト吹出口（第１吹出口）１９が設けられている。このような構成によれば、ノズル１３から放出されたスチームは、ノズル１３の後方から吹出用送風ファン１５により搬送されてきた風に混合されて、スチームの放出方向に搬送された上でスチームダクト吹出口１９から放出される。このように、スチームダクト１８は、吹出用送風ファン１５から本体ケース１の外部に空気を送る経路の一部を構成している。なお、スチームダクト吹出口１９は、スチームダクト１８内部の高温部に使用者の指や手が進入するのを防ぐためのメッシュカバー２０で覆われている。
【００２１】
送風ダクト１６は、スチームダクト１８とは別個にその上方に設けられたダクトであり、その先端に設けられた吹出口（第２吹出口）１７がスチームダクト吹出口１９の上方となる位置に配置されている。このような構成によれば、送風ダクト１６は、送風ダクト１６の後方から吹出用送風ファン１５によって搬送されてきた空気を流入させて吹出口１７から外部に放出する経路の一部を構成する。さらに、吹出口１７の上部には、前方に突出した日差し状（板状）の風向調整手段１４が設けられている。風向調整手段１４は、吹出口１７との接続部を支点として上下に回動可能に構成されている。このような構成によれば、風向調整手段１４を水平方向よりも下方に回動させることにより、吹出口１７から外部に放出される風をスチームダクト吹出口１９から放出されるスチームに向かう方向（すなわち下方向）に送風させることができる。
【００２２】
メッシュカバー２０には、スチームダクト吹出口１９に使用者が接近したことを検知するための近接センサ２３が設けられている。近接センサ２３としては、例えばメッシュカバー２０に設置された感応センサ又は風向調整手段１４の下面に設置された赤外線センサ等により構成することができる。また、スチームダクト１８の内部には、温度検出部２２が設けられている。
【００２３】
また、本体ケース１の内部には、流体搬送装置の運転を制御するための制御部２４が設けられている。制御部２４は、時間を計測するタイマー機能を備えている。また、制御部２４には、ヒータ１０の入力端、吹出用送風ファン１５の入力端および近接センサ２３の入力端がそれぞれ接続されている。制御部２４は、これらの入力端から各部を制御するための信号を送信する。さらに、制御部２４には、操作部３の出力端、湿度検出部４の出力端、人体検出部５の出力端、給水部６の水位検知部の出力端及びサーミスタ１１の出力端が接続されている。制御部２４は、これらの出力端から信号を受信する。
【００２４】
以上のように構成された流体搬送装置が運転されると、本体ケース１の外部にスチームが搬送される。
【００２５】
図３は、本実施の形態における流体搬送装置の動作を示すフローチャートである。以下、主に図３を参照して流体搬送装置の動作について説明する。
【００２６】
流体搬送装置の運転が開始される前に、給水タンク７には外部から水が供給される。給水タンク７は、給水弁７ａが給水部６の上部の凹みに嵌るように本体ケース１の内部に取り付けられる。給水タンク７内の水は、給水弁７ａ、給水部６及び給水路９を経て貯水部８に流れ込む。この際に流れ込む水量は、給水弁７ａによって調節される。
【００２７】
操作部３の電源ＳＷが押されると、流体搬送装置の電源がＯＮ状態となり（ステップＳ１）、流体搬送装置の運転が開始される。
【００２８】
ステップＳ１に続いて、制御部２４は、ヒータ１０をＯＮ状態にする（ステップＳ２）。これにより、ヒータ１０が発熱し、貯水部８内の水を加熱する。貯水部８内の水は、加熱により水温が上昇する。その後、貯水部８内の水は蒸気となり、蒸気ダクト１２の内部に進入する。蒸気ダクト１２に進入した蒸気は、ノズル１３で圧縮されてスチーム化され、スチームダクト１８内に噴射される。
【００２９】
ステップＳ２から予め設定された時間が経過し、スチーム生成が開始されると、制御部２４は、吹出用送風ファン１５をＯＮ状態にする（ステップＳ３）。これにより、吹出用送風ファン１５は、本体ケース１の後面の開口部から外部の空気を吸い込み、接続ダクト２１を介して、送風ダクト１６とスチームダクト１８に空気を送る。スチームダクト１８に流入した空気は、スチームダクト１８内でノズル１３から噴出したスチームと混合されスチームダクト吹出口１９から外部に向けて略水平方向に放出される。このとき、スチームは、ノズル１３から噴射される勢いとスチームダクト１８内でノズル１３後方より送られる空気の流れにより、前方に指向性を持って搬送される。また、送風ダクト１６に流入した空気は、吹出口１７より風向調整手段１４に沿って、スチームダクト吹出口１９からスチームが放出される方向よりも下方に（すなわち水平方向よりも下方向に）放出される。これにより、スチームダクト吹出口１９より放出されたスチームが、前方に搬送されつつ徐々に上昇するのを抑えることができ、指向性を持って使用者がいる位置にスチームを搬送することができる。
【００３０】
ステップＳ３に続いてステップＳ４に進む。ステップＳ４では、湿度検出部４により本体位置の湿度が検出される。また、ステップＳ４では、本体位置から使用者がいる位置までの距離が人体検出部５により検出される。制御部２４は、これらの検出結果と、予め記憶している本体位置からの距離と湿度との関係に基づいて、使用者がいる位置の湿度を推定する。そして、制御部２４は、推定した使用者がいる位置の湿度に応じて、ヒータ１０の運転状態を間欠運転等により調整する。ここでは、具体的には、制御部２４は、推定した湿度が適湿下限以下である場合はヒータ１０をＯＮ状態とする。また、制御部２４は、推定した湿度が適湿上限以上である場合はヒータ１０をＯＦＦ状態とする。
【００３１】
ステップＳ４に続いて、ステップＳ５に進む。ステップＳ５では、制御部２４は、電源ＳＷがＯＦＦ状態であるか否かの判定、流体搬送装置の運転開始から予め設定された時間が経過したか否かの判定、水位検知部の検知結果に基づいて給水タンク７内の水量が０であるか否かの判定、近接センサ２３の検知結果に基づいて使用者がスチームダクト吹出口１９に接触しているか否かの判定、及び温度検出部２２の検知結果に基づいてスチームダクト１８内の温度が所定温度以上になっているか否かの判定を行う。これらの判定において、何れの条件も成立しない場合は、再びステップＳ４に戻る。
【００３２】
ステップＳ５の判定において、何れかの条件が成立した場合、制御部２４は、流体搬送装置の電源をＯＦＦ状態にする（ステップＳ６）。
【００３３】
以上説明したとおり、本実施の形態の流体搬送装置によれば、使用者がいる位置にスチームが指向性を持って搬送されるため、使用者がいる位置を効率的に加湿することができ、本体及び使用者から離れた窓付近、天井付近等の結露を抑制することができる。これにより、部屋全体を加湿する必要がないため、流体搬送装置の運転に必要な水分量が少なくなり、給水タンク７を小型化し、流体搬送装置の使い勝手を向上することができる。
【００３４】
また、本実施の形態の流体搬送装置によれば、移動可能な風向調整手段１４に沿ってスチームが外部に放出されるため、人体検出部５に基づいて風向調整手段１４を調整するように制御する、または、使用者が手動で風向調整手段１４を調整することで、使用者のいる位置を狙って水分を搬送することができる。
【００３５】
また、本実施の形態の流体搬送装置によれば、スチームがスチームダクト１８内で風と混合されることでスチームの温度が低下する。このため、スチームダクト吹出口１９より放出されるスチームが低温になり火傷を防止することができ、安全性を高めることができる。
【００３６】
さらに、本実施の形態の流体搬送装置によれば、スチームダクト吹出口１９がメッシュカバー２０で覆われているので、スチームダクト１８内部の高温部に使用者の指や手が進入するのを防いで火傷を防止し安全性を高めることができる。
【００３７】
また、本実施の形態の流体搬送装置によれば、スチームダクト吹出口１９に使用者が接触したことを近接センサ２３により検出した際に、運転をＯＦＦにするので、さらに安全性を高めることができる。
【００３８】
また、本実施の形態の流体搬送装置によれば、スチームダクト１８が詰まり空気の流入量が減った場合等、スチームが冷却されず高温になった状態を温度検出部２２により検出した場合に電源がＯＦＦ状態にされる。これにより、高温のスチームがスチームダクト吹出口から放出されることを抑制し、さらに安全性を高めることができる。
【００３９】
なお、スチームダクト１８は、スチームを低温化するために長さ８０〜１２０ｍｍ程度が望ましい。さらに、放射状に広がるスチームが、スチームダクト１８の側壁面で結露するのを抑制し加湿性能を確保しつつ、スチームダクト１８を小型とするため、ノズル１３はスチームダクト１８のスチーム吹出方向に垂直な断面の略中心に配置し、スチームダクト１８の径をφ５０〜１５０ｍｍ程度とすることが望ましい。
【００４０】
また、蒸気をスチーム化し勢いを持たせて噴射しつつ、ノズル１３での結露による詰まりを抑制するため、ノズル１３の内径はφ５ｍｍ程度、蒸気ダクト１２の内径は１０〜２０ｍｍ程度、ヒータ１０の入力は２００〜３００Ｗ程度が望ましい。
【００４１】
また、メッシュカバー２０は、安全性を確保しつつ、スチームの結露を抑制して加湿性能を高めるため、その開口径（長辺）を５〜１２ｍｍとすることが望ましい。
【００４２】
また、スチームダクト１８およびメッシュカバー２０の少なくとも一部は、断熱材で構成されることが望ましい。このような構成によれば、スチームダクト１８の内壁面およびメッシュカバー２０での結露をさらに抑制でき、加湿性能を高めることができる。
【００４３】
また、メッシュカバー２０は、その枠体の後方側にＲ形状を設けることが望ましい。このような構成によれば、スチームがＲ形状に沿ってスムーズにメッシュカバー２０を通過するため、メッシュカバー２０での結露をさらに抑制でき、加湿性能を高めることができる。
【００４４】
さらに、スチームダクト１８は、吹出用送風ファン１５から搬送される風がスチームダクト１８の断面に均一に流れるように構成されることが望ましい。ノズル１３から噴射されるスチームは、放射状に広がりながら噴射方向に進むため、スチームダクト１８の全面に風を均一に流入させ、ノズル１３の後方からスチームに混合させることで、スチームの広がりを抑制しつつ、効率的にスチームと風を混合しスチーム温度を低下させることができる。なお、このようなスチームダクト１８の例としては、例えば、円筒の中心軸が直線であり、また円筒形状の円筒径が一定であることが望ましい。
【００４５】
実施の形態２．
図４は、本発明の実施の形態２における流体搬送装置を図１に示すＡ−Ａ断面で切断した断面図である。本実施の形態２の流体搬送装置は、風向調整手段１４及び吹出用送風ファン１５の構成が実施の形態１の流体搬送装置と異なる。
【００４６】
図４に示す流体搬送装置では、送風ダクト１６の少なくとも一部が湾曲した形状に構成され、送風ダクト１６の先端側に位置する一方が、本体側に固定されている送風ダクト１６の他方側に対し伸縮可能に支持され、風向調整手段１４を構成している。つまり、本実施の形態２の風向調整手段１４によれば、吹出口１７に対する送風ダクト１６の角度（つまり吹出口１７からの吹出角度）および吹出口１７の位置が送風ダクト１６の伸縮によって変化する。
【００４７】
また、図４に示す流体搬送装置では、吹出用送風ファン１５が２つ以上設けられている。より詳しくは、スチームダクト１８に空気を搬送するためのスチームダクト用ファン１５ａと、送風ダクト１６に空気を搬送するための送風ダクト用ファン１５ｂとがそれぞれ設けられている。
【００４８】
このような構成によれば、風向調整手段１４は吹出角度および吹出位置の両方を調整することができるため、吹出方向を大きく可変することが可能となり、より正確に使用者のいる場所を狙いやすくなり、更に加湿性能を向上させることができる。
【００４９】
また、上記構成によれば、スチームダクト用ファン１５ａと送風ダクト用ファン１５ｂとをそれぞれ独立して入力制御することができる。このため、運転ＯＦＦ時にスチームダクト用ファン１５ａのみを動作させ、スチームダクト１８内に付着した水を乾燥させる乾燥モードを設定することができる。また、送風ダクト１６に送風する空気量のみを調整することで、スチームの搬送方向および距離を調整することができ、さらに加湿性能を向上させることができる。
【００５０】
なお、上述した実施の形態２の流体搬送装置では、風向調整手段１４を構成する送風ダクト１６の一部を管状に構成することとしたが、他の構成としてもよい。例えば、風向調整手段１４を構成する送風ダクト１６の一部を、図４に示す送風ダクト１６の底面を除いたような、断面がコの字型の日差し形状としてもよい。
【００５１】
また、上述した実施の形態２の流体搬送装置では、上述した実施の形態１の装置に対して風向調整手段１４及び吹出用送風ファン１５の構成を異なるものとしているが、これら風向調整手段１４及び吹出用送風ファン１５の何れかの構成のみを異なるものとして構成してもよい。
【００５２】
実施の形態３．
図５は、本発明の実施の形態３における流体搬送装置の正面図である。本実施の形態３では、送風ダクト１６の構成が、上述した実施の形態１および２と異なる。
【００５３】
図５に示す流体搬送装置では、送風ダクト１６がスチームダクト１８の上方および側方に設置されている。このような構成によれば、放射状に噴射されるスチームが幅方向に広がることを抑制することができるため、スチームの幅方向への拡散を防ぎ水分搬送量を増すことができ、加湿性能を向上させることができる。
【００５４】
［その他］
本発明は上述の実施の形態に限定されるものではなく、本発明の趣旨を逸脱しない範囲で種々変形して実施することができる。例えば、以下のような変形例を採用してもよい。
【００５５】
実施の形態１の流体搬送装置によれば、操作部３が人体検出部５を備え、人体検出部５が本体位置から使用者がいる位置までの距離を検出することとしている。しかしながら、人体検出部５を設けず、本体位置から使用者がいる位置までの距離を使用者自身が設定する構成としてもよい。このような構成によれば、操作部３の構造が簡単になり、流体搬送装置を小型化して使い勝手を向上することができる。
【００５６】
また、実施の形態１の流体搬送装置では、制御部２４がタイマー機能を備えている。しかしながら、タイマーを別個に設け、制御部２４がタイマーから信号を受信することとしてもよい。
【００５７】
また、実施の形態１の流体搬送装置では、流体搬送装置の運転開始から予め設定された時間が経過した場合は電源をＯＦＦ状態にすることとしている。しかしながら、運転開始からでなく、他の時点からの経過時間に基づいて電源をＯＦＦ状態にすることとしてもよい。
【００５８】
上述した実施の形態１から３では、吹出口１７の形状を長方形またはコの字型としたが、吹出口の形状はこの限りではない。図６は、吹出口の他の形状を示す図である。図６に示すように、吹出口１７の形状は、例えば吹出口１７の下面にＲをつけ、スチームダクト１８の上面に沿わせる形状としてもよい。このような構成によれば、吹出口１７から放出される風がスチームダクト１８から放出されるスチームおよび風に沿ってスムーズに合流するため、効率的にスチームの方向を制御することができる。
【００５９】
また、実施の形態１から３では、メッシュカバー２０を格子状のメッシュとして構成したが、スチームダクト吹出口１９からのスチームの吹出しを阻害せず且つ使用者の指や手が進入するのを防ぐことができるのであれば、他の構成としてもよい。
【００６０】
また、実施の形態１から３では、スチームダクト１８の断面を円状に構成したが、この限りではない。
【符号の説明】
【００６１】
１  本体ケース、２  ふた、３  操作部、４  湿度検出部、５  人体検出部、６  給水部、７  給水タンク、７ａ  給水弁、８  貯水部、９  給水路、１０  ヒータ、１１  サーミスタ、１２  蒸気ダクト、１３  ノズル（スチーム放出部）、１４  風向調整手段、１５  吹出用送風ファン（送風部）、１５ａ  スチームダクト用送風ファン（送風部）、１５ｂ  送風ダクト用送風ファン（送風部）、１６  送風ダクト、１７  吹出口（第２吹出口）、１８  スチームダクト、１９  スチームダクト吹出口（第１吹出口）、２０  メッシュカバー、２１  接続ダクト、２２  温度検出部、２３  近接センサ、２４  制御部
【図１】
2015081710.tif 000003
【図２】
2015081710.tif 000004
【図３】
2015081710.tif 000005
【図４】
2015081710.tif 000006
【図５】
2015081710.tif 000007
【図６】
2015081710.tif 000008
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
流体から蒸気を生成する蒸気生成部と、
前記蒸気生成部により生成された蒸気から、液化した蒸気であるスチームを生成して放出するスチーム放出部と、
風を発生させる送風部と、
前記スチーム放出部の周囲を覆う筒状の構造体であって、前記送風部が発生させた風を外部へ放出する経路の一部を構成するスチームダクトと、
前記スチームダクトとは別個に設けられ、前記送風部が発生させた風を搬送して外部へ放出する経路の一部を構成する送風ダクトと、
前記スチームダクトから外部に風を放出する第１吹出口と、
前記第１吹出口の上方に配置され、前記送風ダクトから外部に風を放出する第２吹出口と、
前記第２吹出口から放出される風の吹出角度を上下方向に調整する送風方向調整手段と、を備え、
前記スチーム放出部及び前記スチームダクトは、放出されたスチームが前記送風部により発生した風に混合されて前記第１吹出口から放出されるように構成され、
前記送風ダクトは、前記第２吹出口から放出された風が前記第１吹出口から放出されたスチームに上方から混合されるように構成され、
前記送風方向調整手段は、前記第２吹出口の上部から風の吹出方向に突出した板状のガイド部として構成され、前記第２吹出口の方向に向かって回動することにより風の進行方向を変更可能に構成されて成る流体搬送装置。
【請求項２】
流体から蒸気を生成する蒸気生成部と、
前記蒸気生成部により生成された蒸気から、液化した蒸気であるスチームを生成して放出するスチーム放出部と、
風を発生させる送風部と、
前記スチーム放出部の周囲を覆う筒状の構造体であって、前記送風部が発生させた風を外部へ放出する経路の一部を構成するスチームダクトと、
前記スチームダクトとは別個に設けられ、前記送風部が発生させた風を搬送して外部へ放出する経路の一部を構成する送風ダクトと、
前記スチームダクトから外部に風を放出する第１吹出口と、
前記第１吹出口の上方に配置され、前記送風ダクトから外部に風を放出する第２吹出口と、
前記第２吹出口から放出される風の吹出角度を上下方向に調整する送風方向調整手段と、を備え、
前記スチーム放出部及び前記スチームダクトは、放出されたスチームが前記送風部により発生した風に混合されて前記第１吹出口から放出されるように構成され、
前記送風ダクトは、前記第２吹出口から放出された風が前記第１吹出口から放出されたスチームに上方から混合されるように構成され、
前記送風方向調整手段は、前記送風ダクトの前記第２吹出口に対する角度を調整して前記第２吹出口から放出される風の吹出角度を変更可能に構成されて成る流体搬送装置。
【請求項３】
流体から蒸気を生成する蒸気生成部と、
前記蒸気生成部により生成された蒸気から、液化した蒸気であるスチームを生成して放出するスチーム放出部と、
風を発生させる送風部と、
前記スチーム放出部の周囲を覆う筒状の構造体であって、前記送風部が発生させた風を外部へ放出する経路の一部を構成するスチームダクトと、
前記スチームダクトとは別個に設けられ、前記送風部が発生させた風を搬送して外部へ放出する経路の一部を構成する送風ダクトと、
前記スチームダクトから外部に風を放出する第１吹出口と、
前記第１吹出口の上方に配置され、前記送風ダクトから外部に風を放出する第２吹出口と、
前記第１吹出口を覆うメッシュカバーと、を備え、
前記スチーム放出部及び前記スチームダクトは、放出されたスチームが前記送風部により発生した風に混合されて前記第１吹出口から放出されるように構成され、
前記送風ダクトは、前記第２吹出口から放出された風が前記第１吹出口から放出されたスチームに上方から混合されるように構成され、
前記メッシュカバーは、風上側の面の開口縁にＲ形状が設けられて成る流体搬送装置。
【請求項４】
流体から蒸気を生成する蒸気生成部と、
前記蒸気生成部により生成された蒸気から、液化した蒸気であるスチームを生成して放出するスチーム放出部と、
風を発生させる送風部と、
前記スチーム放出部の周囲を覆う筒状の構造体であって、前記送風部が発生させた風を外部へ放出する経路の一部を構成するスチームダクトと、
前記スチームダクトとは別個に設けられ、前記送風部が発生させた風を搬送して外部へ放出する経路の一部を構成する送風ダクトと、
前記スチームダクトから外部に風を放出する第１吹出口と、
前記第１吹出口の上方に配置され、前記送風ダクトから外部に風を放出する第２吹出口と、
前記第１吹出口の近傍への使用者の接触を検知する近接センサと、
前記近接センサにより接触を検出した場合に前記蒸気生成部による蒸気の生成を停止させる制御手段と、
前記第１吹出口を覆うメッシュカバーと、を備え、
前記スチーム放出部及び前記スチームダクトは、放出されたスチームが前記送風部により発生した風に混合されて前記第１吹出口から放出されるように構成され、
前記送風ダクトは、前記第２吹出口から放出された風が前記第１吹出口から放出されたスチームに上方から混合されるように構成され、
前記近接センサは、前記メッシュカバーに設置された感圧センサにより構成されて成る流体搬送装置。
【請求項５】
前記スチーム放出部は、前記蒸気生成部により生成された蒸気に絞りを加えてスチームを生成し、生成されたスチームを前記第１吹出口に向かって放出するように構成されて成る請求項１から４の何れか１項に記載の流体搬送装置。
【請求項６】
前記スチームダクトは、前記第１吹出口から放出されるスチームの吹出角度が水平になるように構成されて成る請求項１から５の何れか１項に記載の流体搬送装置。
【請求項７】
前記送風ダクトは、前記第２吹出口から放出される風の吹出角度が水平よりも下方になるように構成されて成る請求項１から６の何れか１項に記載の流体搬送装置。
【請求項８】
前記第２吹出口から放出される風の吹出角度を上下方向に調整する送風方向調整手段を備える請求項３又は４に記載の流体搬送装置。
【請求項９】
前記スチームダクトは、前記スチーム放出部が設けられた位置から前記第１吹出口までの長さを８０〜１２０ｍｍの範囲とし、筒径を５０〜１５０ｍｍの範囲として構成される請求項１から８の何れか１項に記載の流体搬送装置。
【請求項１０】
前記スチームダクトは、少なくともその壁面の一部に断熱材を用いて構成される請求項１から９の何れか１項に記載の流体搬送装置。
【請求項１１】
前記第１吹出口を覆うメッシュカバーを更に備える請求項１又は２に記載の流体搬送装置。
【請求項１２】
前記メッシュカバーは、その開口幅を５〜１２ｍｍの範囲として構成される請求項３、４及び１１の何れか１項に記載の流体搬送装置。
【請求項１３】
前記メッシュカバーは、少なくともその一部に断熱材を用いて構成される請求項３、４、１１及び１２の何れか１項に記載の流体搬送装置。
【請求項１４】
前記第２吹出口は、前記第１吹出口の上方及び側方を囲むように構成されて成る請求項１から１３の何れか１項に記載の流体搬送装置。
【請求項１５】
前記第１吹出口の近傍への使用者の接触を検知する近接センサと、
前記近接センサにより接触を検出した場合に前記蒸気生成部による蒸気の生成を停止させる制御手段と、
を更に備える請求項１から３の何れか１項に記載の流体搬送装置。
【請求項１６】
前記近接センサは、前記第１吹出口より吹出方向に突出した部位に設けられた赤外線センサにより構成されて成る請求項１５に記載の流体搬送装置。
【請求項１７】
前記第１吹出口に配置された温度検知手段と、
前記温度検知手段により検知された値が予め定められた上限値を超えた場合に、前記蒸気生成部による蒸気の生成を停止させる第２制御手段と、
を更に備える請求項１から１６の何れか１項に記載の流体搬送装置。
【請求項１８】
前記送風部は、
前記スチームダクトに送風する第１のファンと、
前記送風ダクトに送風する第２のファンと、を含み、
前記第１のファンと前記第２のファンとは、それぞれ独立して制御可能に構成されて成る請求項１から１７の何れか１項に記載の流体搬送装置。
【請求項１９】
前記スチームダクトは、前記送風部より搬送される風を均一に流通させるように構成されて成る請求項１から１８の何れか１項に記載の流体搬送装置。
【手続補正２】
【補正対象書類名】明細書
【補正対象項目名】０００６
【補正方法】変更
【補正の内容】
【０００６】
上記の目的を達成するため、本発明の流体搬送装置は、流体から蒸気を生成する蒸気生成部と、蒸気生成部により生成された蒸気から、液化した蒸気であるスチームを生成して放出するスチーム放出部と、風を発生させる送風部と、スチーム放出部の周囲を覆う筒状の構造体であって、送風部が発生させた風を外部へ放出する経路の一部を構成するスチームダクトと、スチームダクトとは別個に設けられ、送風部が発生させた風を搬送して外部へ放出する経路の一部を構成する送風ダクトと、スチームダクトから外部に風を放出する第１吹出口と、第１吹出口の上方に配置され、送風ダクトから外部に風を放出する第２吹出口と、第２吹出口から放出される風の吹出角度を上下方向に調整する送風方向調整手段と、を備え、スチーム放出部及びスチームダクトは、放出されたスチームが送風部により発生した風に混合されて第１吹出口から放出されるように構成され、送風ダクトは、第２吹出口から放出された風が第１吹出口から放出されたスチームに上方から混合されるように構成され、送風方向調整手段は、第２吹出口の上部から風の吹出方向に突出した板状のガイド部として構成され、第２吹出口の方向に向かって回動することにより風の進行方向を変更可能に構成されて成るものである。
また、本発明の流体搬送装置は、流体から蒸気を生成する蒸気生成部と、蒸気生成部により生成された蒸気から、液化した蒸気であるスチームを生成して放出するスチーム放出部と、風を発生させる送風部と、スチーム放出部の周囲を覆う筒状の構造体であって、送風部が発生させた風を外部へ放出する経路の一部を構成するスチームダクトと、スチームダクトとは別個に設けられ、送風部が発生させた風を搬送して外部へ放出する経路の一部を構成する送風ダクトと、スチームダクトから外部に風を放出する第１吹出口と、第１吹出口の上方に配置され、送風ダクトから外部に風を放出する第２吹出口と、第２吹出口から放出される風の吹出角度を上下方向に調整する送風方向調整手段と、を備え、スチーム放出部及びスチームダクトは、放出されたスチームが送風部により発生した風に混合されて第１吹出口から放出されるように構成され、送風ダクトは、第２吹出口から放出された風が第１吹出口から放出されたスチームに上方から混合されるように構成され、送風方向調整手段は、送風ダクトの第２吹出口に対する角度を調整して第２吹出口から放出される風の吹出角度を変更可能に構成されて成るものである。
また、本発明の流体搬送装置は、流体から蒸気を生成する蒸気生成部と、蒸気生成部により生成された蒸気から、液化した蒸気であるスチームを生成して放出するスチーム放出部と、風を発生させる送風部と、スチーム放出部の周囲を覆う筒状の構造体であって、送風部が発生させた風を外部へ放出する経路の一部を構成するスチームダクトと、スチームダクトとは別個に設けられ、送風部が発生させた風を搬送して外部へ放出する経路の一部を構成する送風ダクトと、スチームダクトから外部に風を放出する第１吹出口と、第１吹出口の上方に配置され、送風ダクトから外部に風を放出する第２吹出口と、第１吹出口を覆うメッシュカバーと、を備え、スチーム放出部及びスチームダクトは、放出されたスチームが送風部により発生した風に混合されて第１吹出口から放出されるように構成され、送風ダクトは、第２吹出口から放出された風が第１吹出口から放出されたスチームに上方から混合されるように構成され、メッシュカバーは、風上側の面の開口縁にＲ形状が設けられて成るものである。
また、本発明の流体搬送装置は、流体から蒸気を生成する蒸気生成部と、蒸気生成部により生成された蒸気から、液化した蒸気であるスチームを生成して放出するスチーム放出部と、風を発生させる送風部と、スチーム放出部の周囲を覆う筒状の構造体であって、送風部が発生させた風を外部へ放出する経路の一部を構成するスチームダクトと、スチームダクトとは別個に設けられ、送風部が発生させた風を搬送して外部へ放出する経路の一部を構成する送風ダクトと、スチームダクトから外部に風を放出する第１吹出口と、第１吹出口の上方に配置され、送風ダクトから外部に風を放出する第２吹出口と、第１吹出口の近傍への使用者の接触を検知する近接センサと、近接センサにより接触を検出した場合に蒸気生成部による蒸気の生成を停止させる制御手段と、第１吹出口を覆うメッシュカバーと、を備え、スチーム放出部及びスチームダクトは、放出されたスチームが送風部により発生した風に混合されて第１吹出口から放出されるように構成され、送風ダクトは、第２吹出口から放出された風が第１吹出口から放出されたスチームに上方から混合されるように構成され、近接センサは、メッシュカバーに設置された感圧センサにより構成されて成るものである。
【手続補正３】
【補正対象書類名】明細書
【補正対象項目名】００２２
【補正方法】変更
【補正の内容】
【００２２】
メッシュカバー２０には、スチームダクト吹出口１９に使用者が接近したことを検知するための近接センサ２３が設けられている。近接センサ２３としては、例えばメッシュカバー２０に設置された感圧センサ又は風向調整手段１４の下面に設置された赤外線センサ等により構成することができる。また、スチームダクト１８の内部には、温度検出部２２が設けられている。